(57)【要約】【課題】境界部から離れた胴部の一般部にフランジが設けられている圧縮機であっても、圧縮機と筐体の底板との接触、干渉、および衝突を回避して空間的な余裕を十分に確保した支持構造を有する空気調和機の室外機を提案する。【解決手段】空気調和機の室外機１は、底板９を有する筐体５と、筐体５内に配置される圧縮機６と、底板９上に圧縮機６を支持し、かつゴム弾性を有する支持部材２３と、を備え、底板９は、圧縮機６との干渉を回避する凹没部３１と、凹没部３１の周縁部に設けられて支持部材２３を支える座面３２と、座面３２の周縁部に部分的に設けられて底板９の水平方向における支持部材２３の変位を規制する突出部３３と、を有し、支持部材２３は、直線距離において凹没部３１、座面３２および突出部３３を含む底板９よりも圧縮機６に近接している。【選択図】  図１
2015098956.tif 000002
【特許請求の範囲】
【請求項１】
底板を有する筐体と、
前記筐体内に配置される圧縮機と、
前記底板上に前記圧縮機を支持し、かつゴム弾性を有する支持部材と、を備え、
前記底板は、前記圧縮機との干渉を回避する凹没部と、前記凹没部の周縁部に設けられて前記支持部材を支える座面と、前記座面の周縁部に部分的に設けられて前記底板の水平方向における前記支持部材の変位を規制する突出部と、を有し、
前記支持部材は、直線距離において前記凹没部、前記座面および前記突出部を含む前記底板よりも前記圧縮機に近接している空気調和機の室外機。
【請求項２】
前記凹没部は、前記座面の前記圧縮機側の下方に配置されて前記圧縮機に向かって凹形状であって前記圧縮機の接線に平行な方向に延びる傾斜面を有する請求項１に記載の空気調和機の室外機。
【発明の詳細な説明】
【技術分野】
【０００１】
本発明に係る実施形態は、空気調和機の室外機に関する。
【背景技術】
【０００２】
室外機の筐体内に配置される圧縮機は、筐体の底板上にゴム弾性を有する支持部材によって支持されている。
【０００３】
この圧縮機は、室外機の輸送時の偶発的な衝撃荷重による変位や、圧縮機の運転時の振動による変位によって筐体の底板に衝突、または接触して変形することを避けねばならない。
【０００４】
そこで、従来の空気調和機の室外機は、圧縮機の底部近傍に設けられたフランジを筐体の底板上に支持部材で支える一方で、圧縮機の底部を避けるように筐体の底板を凹没させて、この凹没部と圧縮機との間にゴムシートを挟み込むことによって、圧縮機と筐体の底板との衝突、または接触を防いでいた。
【先行技術文献】
【特許文献】
【０００５】
【特許文献１】特開２００４−２５１５８７号公報
【発明の概要】
【発明が解決しようとする課題】
【０００６】
ところで、従来の圧縮機は、円筒形状の胴部と弧状の鏡板との境界部分にフランジを備えている。
【０００７】
しかしながら、圧縮機を支えるフランジは、必ずしも胴部と鏡板との境界部分ばかりではなく、境界部から離れた胴部の一般部に設けられる場合もある。
【０００８】
衝撃荷重や振動によって圧縮機がフランジ回りに変位する場合、胴部と鏡板との境界部分にフランジが配置されている圧縮機に比べて、境界部から離れた胴部の一般部にフランジが設けられている圧縮機の方が、胴部の下端部における変位は大きくなる。そして、境界部から離れた胴部の一般部にフランジが設けられている圧縮機では、胴部の下端部における変位が大きくなることから、圧縮機と筐体の底板との接触、干渉、および衝突が懸念されることになる。
【０００９】
この、圧縮機と筐体の底板との接触、干渉、および衝突は、騒音を発生させたり、圧縮機の性能を低下させたり、底板の変形を生じさせたりする。
【００１０】
そこで、本願発明は、境界部から離れた胴部の一般部にフランジが設けられている圧縮機であっても、圧縮機と筐体の底板との接触、干渉、および衝突を回避して空間的な余裕を十分に確保した支持構造を有する空気調和機の室外機を提案する。
【課題を解決するための手段】
【００１１】
前記の課題を解決するため本発明の実施形態に係る空気調和機の室外機は、底板を有する筐体と、前記筐体内に配置される圧縮機と、前記底板上に前記圧縮機を支持し、かつゴム弾性を有する支持部材と、を備え、前記底板は、前記圧縮機との干渉を回避する凹没部と、前記凹没部の周縁部に設けられて前記支持部材を支える座面と、前記座面の周縁部に部分的に設けられて前記底板の水平方向における前記支持部材の変位を規制する突出部と、を有し、前記支持部材は、直線距離において前記凹没部、前記座面および前記突出部を含む前記底板よりも前記圧縮機に近接している。
【図面の簡単な説明】
【００１２】
【図１】本発明の実施形態に係る空気調和機の室外機を示す分解斜視図。
【図２】本発明の実施形態に係る室外機の機械室を示す斜視図。
【図３】本発明の実施形態に係る圧縮機の支持構造を示す斜視断面図。
【図４】本発明の実施形態に係る圧縮機の支持構造を示す断面図。
【図５】本発明の実施形態に係る筐体の底板を示す斜視図。
【発明を実施するための形態】
【００１３】
本発明に係る空気調和機の室外機の実施形態について、図１から図５を参照して説明する。
【００１４】
図１は、本発明の実施形態に係る空気調和機の室外機を示す分解斜視図である。
【００１５】
図１に示すように、本実施形態に係る空気調和機の室外機１は、空気取入口２と空気吹出口３とを有する筐体５と、筐体５内に配置される圧縮機６、送風機７、および熱交換器８を備えている。
【００１６】
筐体５は、底板９と、底板９に立てて設けられて筐体５内を仕切る仕切板１１と、上面を覆う天板１２と、熱交換器８の外表面を覆うフィンガード１３と、左右側面を覆う側板１４、１４と、前面を覆い開口した空気吹出口３にファンガード１５が設けられた前板１６と、により構成されている。
【００１７】
仕切板１１は、圧縮機６が配置される機械室２１と、送風機７および熱交換器８が配置される送風機室２２と、を仕切っている。
【００１８】
図２は、本発明の実施形態に係る室外機の機械室を示す斜視図である。
【００１９】
図３は、本発明の実施形態に係る圧縮機の支持構造を示す斜視断面図である。
【００２０】
図４は、本発明の実施形態に係る圧縮機の支持構造を示す断面図である。
【００２１】
図５は、本発明の実施形態に係る筐体の底板を示す斜視図である。
【００２２】
図２から図５に示すように、本実施形態に係る空気調和機の室外機１は、筐体５の底板９上に圧縮機６を支持し、かつゴム弾性を有する支持部材２３と、を備えている。
【００２３】
ここでまず、圧縮機６は、略垂直方向に延びる円筒形状の胴部２５と、胴部２５の上端開口を塞ぐ頂部鏡板２６と、胴部２５の下端開口を塞ぐ底部鏡板２７と、を備えている。また、圧縮機６は、胴部２５の外面から放射状に延びる複数のフランジ２８を備えている。フランジ２８は、胴部２５と底部鏡板２７との境界部から離れた胴部２５の一般部に配置されている。フランジ２８は、圧縮機６の周囲に約１２０度ごと３箇所に設けられている。フランジ２８には、支持部材２３を嵌め込む取付孔２９が開口されている。
【００２４】
筐体５の底板９は、圧縮機６との干渉を回避する凹没部３１と、凹没部３１の周縁部に設けられて支持部材２３を支える座面３２と、座面３２の周縁部に部分的に設けられて底板９の水平方向における支持部材２３の変位を規制する突出部３３と、を備えている。底板９は、板材のプレス成形品である。つまり、凹没部３１、座面３２および突出部３３は、塑性加工によって同一の板材に形成されている。
【００２５】
凹没部３１は、機械室２１の底部であって圧縮機６の下方に配置されている。凹没部３１は、圧縮機６の底部鏡板２７を回避して広がっている。凹没部３１は、座面３２の圧縮機６側の下方に配置されて、圧縮機６に向かって凹形状であって、圧縮機６の接線に平行な方向αに延びる傾斜面３５を有している。
【００２６】
座面３２は、支持部材２３の底面形状に対応して環状に広がり、支持部材２３の底面全体に接している。座面３２の中央には、底板９の下面側から上面側に向かってボルト３６が延びている。ボルト３６は、底板９の下面に溶接で固定されている。ボルト３６は、底板９から圧縮機６のフランジ２８を貫いて延びている。ボルト３６の先端部には、支持部材２３や圧縮機６のフランジ２８の抜け止めを担うナット３７が締結されている。ナット３７は、支持部材２３や圧縮機６のフランジ２８との間に隙間を隔てている。
【００２７】
突出部３３は、少なくとも座面３２の圧縮機６側、換言すれば座面３２の凹没部３１側を除いた部分に設けられている。
【００２８】
支持部材２３は、シリコンゴムなどゴム弾性を有し、圧縮機６に加わる衝撃荷重や振動荷重などを緩衝する。支持部材２３は、底板９のボルト３６を差し込む貫通孔３８を有する。貫通孔３８には、ボルト３６がすきま嵌めされている。また、支持部材２３は、底板９の座面３２に接する底面と、フランジ２８の取付孔２９に嵌め込まれる環状凹部４１と、を備えている。環状凹部４１は、支持部材２３をフランジ２８に支持させている。つまり、支持部材２３とフランジ２８との位置関係は、支持部材２３の弾性変形の範囲に保たれている。支持部材２３は、直線距離において凹没部３１、座面３２および突出部３３を含む底板９よりも圧縮機６、特に胴部２５と底部鏡板２７との境界部に近接している。つまり、凹没部３１の傾斜面３５および突出部３３の不存在部分は、底板９よりも支持部材２３を圧縮機６に近接させている。
【００２９】
なお、座面３２、突出部３３および支持部材２３は、圧縮機６のフランジ２８を支える適宜の箇所に対応して３箇所設けられている。
【００３０】
本実施形態に係る空気調和機の室外機１は、直線距離において凹没部３１、座面３２および突出部３３を含む底板９よりも圧縮機６に近接する支持部材２３を備えることによって、室外機１の輸送時の偶発的な衝撃荷重による変位や、圧縮機６の運転時の振動による変位が作用する圧縮機６に対して支持部材２３を確実に触れさせて緩衝し、圧縮機６と底板９との接触を回避させ、干渉、衝突、および騒音の発生を防止し、ひいては圧縮機６の性能低下を回避する。
【００３１】
また、本実施形態に係る空気調和機の室外機１は、座面３２の圧縮機６側の下方に傾斜面３５を有することによって、圧縮機６と底板９との接触回避をより確実にする。
【００３２】
したがって、本実施形態に空気調和機の室外機１によれば、境界部から離れた胴部２５の一般部にフランジ２８が設けられている圧縮機６であっても、圧縮機６と筐体５の底板９との接触、干渉、および衝突を回避して空間的な余裕を十分に確保した支持構造を有する。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１  室外機
２  空気取入口
３  空気吹出口
５  筐体
６  圧縮機
７  送風機
８  熱交換器
９  底板
１１  仕切板
１２  天板
１３  フィンガード
１４  側板
１５  ファンガード
１６  前板
２１  機械室
２２  送風機室
２３  支持部材
２５  胴部
２６  頂部鏡板
２７  底部鏡板
２８  フランジ
２９  取付孔
３１  凹没部
３２  座面
３３  突出部
３５  傾斜面
３６  ボルト
３７  ナット
３８  貫通孔
４１  環状凹部
【図１】
2015098956.tif 000003
【図２】
2015098956.tif 000004
【図３】
2015098956.tif 000005
【図４】
2015098956.tif 000006
【図５】
2015098956.tif 000007